(57)【特許請求の範囲】
【請求項１】
太陽光発電装置と給湯装置とを備えた太陽光発電システムに上記太陽光発電装置および上記給湯装置と通信可能に備えられ、上記太陽光発電装置および上記給湯装置の状態を表示可能であり、かつ上記太陽光発電装置および上記給湯装置に対するユーザからの指示を受け付ける遠隔操作装置であって、
上記給湯装置は、電力を用いて水を加熱することで温水を生成する加熱部と、上記加熱部によって生成された温水を貯湯する貯湯タンク部と、電気料金が安くなる時間帯に上記加熱部に温水を生成させるように上記加熱部を制御する加熱制御部とを備えた貯湯式電気給湯装置であり、
上記遠隔操作装置は、
時刻を測定する内部時計部と、
通信ネットワークを介して外部装置から第１時刻情報を取得する第１時刻情報取得部と、
上記給湯装置に備えられた電気時計部であって商用電力の周波数に基づいて時刻を測定する電気時計部から第２時刻情報を取得する第２時刻情報取得部と、
上記第１時刻情報および上記第２時刻情報のうちの一方の時刻情報を選択し、選択した時刻情報を用いて上記内部時計部の時刻を補正する時刻制御部とを備えており、
上記遠隔操作装置に備えられた上記時刻制御部は、
上記第１時刻情報を取得可能な場合には当該第１時刻情報を用いて上記内部時計部の時刻を補正し、上記第１時刻情報を取得不可能な場合には上記第２時刻情報を用いて上記内部時計部の時刻を補正し、
上記第１時刻情報を用いて上記内部時計部の時刻を補正した場合は、当該内部時計部の補正された時刻情報または上記第１時刻情報を上記給湯装置に送信し、送信した時刻情報に基づいて上記給湯装置に備えられている上記電気時計部の時刻を補正させることを特徴とする遠隔操作装置。
【請求項２】
上記時刻制御部は、
上記内部時計部の時刻を所定時間毎に補正することを特徴とする請求項１に記載の遠隔操作装置。
【請求項３】
現在の年月日を示す年月日情報を記憶する年月日記憶部と、
上記内部時計部の時刻に基づいて１日毎に上記年月日記憶部に記憶されている上記年月日情報を更新する年月日制御部とを備え、
上記第１時刻情報には、現在の年月日を示す情報が含まれており、
上記年月日制御部は、上記第１時刻情報に含まれる現在の年月日を示す情報に基づいて上記年月日記憶部に記憶されている上記年月日情報を補正することを特徴とする請求項１または２に記載の遠隔操作装置。
【請求項４】
太陽光発電装置と、給湯装置と、請求項１から３のいずれか１項に記載の遠隔操作装置とを備えていることを特徴とする太陽光発電システム。
【請求項５】
現在の年月日を示す年月日情報を記憶する年月日記憶部と、
上記内部時計部の時刻に基づいて１日毎に上記年月日記憶部に記憶されている上記年月日情報を更新する年月日制御部とを備え、
上記第１時刻情報には、現在の年月日を示す情報が含まれており、
上記年月日制御部は、上記第１時刻情報に含まれる現在の年月日を示す情報に基づいて上記年月日記憶部に記憶されている上記年月日情報を補正するようになっており、
上記年月日情報と上記内部時計部の時刻とに基づいてユーザが予約した日時に上記給湯装置に給湯処理を行わせる給湯制御部を備えていることを特徴とする請求項４に記載の太陽光発電システム。
【発明の詳細な説明】
【技術分野】
【０００１】
本発明は、太陽光発電システムに備えられる遠隔操作装置に関するものであり、より具体的には、上記遠隔操作装置に備えられる内部時計の時刻を補正する技術に関するものである。
【背景技術】
【０００２】
従来、太陽光発電装置と給湯装置とを備えた太陽光発電システムが普及している（例えば特許文献１，２参照）。
【０００３】
この種の太陽光発電システムでは、一般に、ユーザが太陽光発電装置に対する指示を行うためのリモコン（遠隔操作装置）と、ユーザが給湯装置に対する指示を行うためのリモコンとがそれぞれ別々に備えられている。
【０００４】
また、太陽光発電装置用のリモコンは発電実績の履歴情報を生成するために内部時計を備えており、この内部時計が測定した時刻に応じて記憶している日時情報（年月日および時刻の情報）を更新するようになっている。
【０００５】
また、給湯装置あるいは給湯装置用のリモコンは、ユーザの予約した時刻に給湯を行う機能や、特定の時間帯に沸上げを行う機能を実現するために内部時計を備えている。
【０００６】
なお、特許文献３には、給湯装置本体に商用電力の周波数をカウントすることで時刻を測定する本体時計を設け、リモコンの内部時計の時刻を本体時計の時刻に基づいて補正する技術が開示されている。
【先行技術文献】
【特許文献】
【０００７】
【特許文献１】特開２００８−００２７０２号公報（２００８年１月１０日公開）
【特許文献２】特開２００８−００２７０３号公報（２００８年１月１０日公開）
【特許文献３】特開２００３−２２７８８９号公報（２００３年８月１５日公開）
【発明の概要】
【発明が解決しようとする課題】
【０００８】
ところで、上述した従来の構成のように、太陽光発電装置用のリモコンと給湯装置用のリモコンとを別々に設けていたのでは、リモコンの数が増えて設置スペースの問題や美観上の問題が生じる。
【０００９】
そこで、太陽光発電装置用のリモコンと給湯装置のリモコンとを統合させ、これら両装置について共通のリモコンを設けることが考えられる。また、そのような太陽光発電装置および給湯装置について共通のリモコンを設ける場合、そのリモコンの内部時計を上記特許文献３の技術を用いて補正する構成にすることが考えられる。
【００１０】
しかしながら、特許文献３の技術により、リモコンの内部時計の時刻をある程度精度よく補正することができるものの、さらに精度の高い補正を行うことが求められている。また、特許文献３の技術では、例えば停電等により給湯装置への商用電力の供給が遮断された場合に、リモコンの内部時計を補正することができなくなるという問題がある。
【００１１】
本発明は、上記の問題点に鑑みてなされたものであり、その目的は、太陽光発電装置と給湯装置とを備えた太陽光発電システムに備えられる遠隔操作装置における内部時計の精度および信頼度を向上させることにある。
【課題を解決するための手段】
【００１２】
本発明の遠隔操作装置は、太陽光発電装置と給湯装置とを備えた太陽光発電システムに備えられ、上記太陽光発電装置および上記給湯装置に対するユーザからの指示を受け付ける遠隔操作装置であって、時刻を測定する内部時計部と、通信ネットワークを介して外部装置から第１時刻情報を取得する第１時刻情報取得部と、上記給湯装置に備えられ、商用電力の周波数に基づいて時刻を測定する電気時計部から第２時刻情報を取得する第２時刻情報取得部と、上記第１時刻情報および上記第２時刻情報のうちの一方の時刻情報を選択し、選択した時刻情報を用いて上記内部時計部の時刻を補正する時刻制御部とを備えていることを特徴としている。
【００１３】
上記の構成によれば、通信ネットワークを介して外部装置から第１時刻情報を取得する第１時刻情報取得部と、上記給湯装置に備えられ、商用電力の周波数に基づいて時刻を測定する電気時計部から第２時刻情報を取得する第２時刻情報取得部とを備えており、制御部が、第１時刻情報および第２時刻情報のうちの一方の時刻情報を選択し、選択した時刻情報を用いて内部時計部の時刻を補正する。これにより、第１時刻情報および第２時刻情報の一方を取得できない場合であっても、他方の時刻情報に基づいて内部時計部の時刻を補正できるので、内部時計部の時刻の補正精度および信頼度を向上させることができる。
【００１４】
また、上記第１時刻情報および上記第２時刻情報のうちのいずれを優先するかが予め設定されており、上記時刻制御部は、優先する方の時刻情報を取得可能な場合には当該時刻情報を用いて上記内部時計部の時刻を補正し、優先する方の時刻情報を取得不可能な場合には他方の時刻情報を用いて上記内部時計部の時刻を補正する構成としてもよい。
【００１５】
上記の構成によれば、例えば、第１時刻情報および第２時刻情報のうち、時刻の測定精度が高い方を優先するように設定しておくことにより、内部時計部の時刻をより精度よく補正することができる。
【００１６】
また、上記時刻制御部は、上記第１時刻情報を取得可能な場合には当該第１時刻情報を用いて上記内部時計部の時刻を補正し、上記第１時刻情報を取得不可能な場合に上記第２時刻情報を用いて上記内部時計部の時刻を補正する構成としてもよい。
【００１７】
一般に、インターネット等の通信ネットワーク上には非常に精度の高い時刻情報を提供することのできる外部装置が備えられている。したがって、上記の構成によれば、外部装置から取得する非常に精度の高い時刻情報を優先的に用いて内部時計部の時刻を補正することができるので、内部時計部の時刻の補正精度をより高めることができる。
【００１８】
また、上記時刻制御部は、上記内部時計部の時刻を所定時間毎に補正する構成としてもよい。
【００１９】
上記の構成によれば、内部時計部の時刻を所定時間毎に補正するので、内部時計部の時刻を誤差の少ない状態に保つことができる。
【００２０】
また、現在の年月日を示す年月日情報を記憶する年月日記憶部と、上記内部時計部の時刻に基づいて１日毎に上記年月日記憶部に記憶されている上記年月日情報を更新する年月日制御部とを備え、上記第１時刻情報には、現在の年月日を示す情報が含まれており、上記年月日制御部は、上記第１時刻情報に含まれる現在の年月日を示す情報に基づいて上記年月日記憶部に記憶されている上記年月日情報を補正する構成としてもよい。
【００２１】
上記の構成によれば、年月日記憶部に記憶されている現在の年月日情報を内部時計部の時刻に基づいて１日毎に更新するとともに、外部装置から取得する第１時刻情報に含まれる現在の年月日を示す情報に基づいて上記年月日記憶部に記憶されている上記年月日情報を補正する。これにより、現在の年月日を適切に管理することができる。
【００２２】
本発明の太陽光発電システムは、太陽光発電装置と、給湯装置と、上記したいずれかの遠隔操作装置とを備えていることを特徴としている。
【００２３】
上記の構成によれば、内部時計部の時刻の補正精度および信頼度を向上させることができる。
【００２４】
また、現在の年月日を示す年月日情報を記憶する年月日記憶部と、上記内部時計部の時刻に基づいて１日毎に上記年月日記憶部に記憶されている上記年月日情報を更新する年月日制御部とを備え、上記第１時刻情報には、現在の年月日を示す情報が含まれており、上記年月日制御部は、上記第１時刻情報に含まれる現在の年月日を示す情報に基づいて上記年月日記憶部に記憶されている上記年月日情報を補正するようになっており、上記年月日情報と上記内部時計部の時刻とに基づいてユーザが予約した日時に上記給湯装置に給湯処理を行わせる給湯制御部を備えている構成としてもよい。
【００２５】
上記の構成によれば、現在の年月日情報を正確に管理するとともに、ユーザが予約した日時に自動的に給湯処理を行うことのできる給湯装置を実現できる。すなわち、従来の給湯装置では、ユーザが給湯処理の予約を行う際、給湯処理を行わせる時刻を指定できるものの年月日までは指定できなかったが、上記の構成によれば、時刻だけでなく年月日についても指定することができる。
【発明の効果】
【００２６】
以上のように、本発明の遠隔操作装置および太陽光発電システムによれば、遠隔操作装置に備えられる内部時計部の時刻の精度を向上させることができる。
【図面の簡単な説明】
【００２７】
【図１】本発明の一実施形態にかかる太陽光発電システムに備えられる遠隔操作装置の概略構成を示す模式図である。
【図２】本発明の一実施形態にかかる太陽光発電システムの概略構成を示す模式図である。
【図３】図２に示した太陽光発電システムに備えられるパワーコンディショナの概略構成を示す模式図である。
【図４】図２に示した太陽光発電システムに備えられる給湯装置の概略構成を示す模式図である。
【図５】図１に示した遠隔操作装置の表示部に表示される表示画面の一例を示す説明図である。
【図６】図１に示した遠隔操作装置の表示部に表示される表示画面の一例を示す説明図である。
【図７】図１に示した遠隔操作装置における内部時計部の時刻補正処理の流れを示すフローチャートである。
【発明を実施するための形態】
【００２８】
本発明の一実施形態について説明する。
【００２９】
（１−１．太陽光発電システム１００の全体構成）
図２は、本実施形態にかかる太陽光発電システム１００の概略構成を示す模式図である。この図に示すように、太陽光発電システム１００は、太陽光発電装置１０、給湯装置２０、およびリモコン（遠隔操作装置）３０を備えている。また、リモコン３０は、通信ネットワーク４０を介してモニタリングサーバ５０と通信可能に接続されている。
【００３０】
太陽光発電装置１０は、図２に示したように、太陽電池モジュール１１、パワコン（パワーコンディショナ）１２、電力量計１３、および分電盤１４を備えている。なお、電力量計１３および分電盤１４は、太陽光発電装置１０の外部に備えられていてもよい。
【００３１】
太陽電池モジュール１１は、太陽光を電気エネルギーに変換することによって直流の電力を発電し、発電した直流の電力をパワコン１２に出力する。
【００３２】
パワコン１２は、太陽電池モジュール１１から入力される直流の電力を商用電力（電力会社から供給される電力）と同電圧かつ同周波数の電力に変換し、分電盤１４に出力する。なお、パワコン１２の詳細については後述する。
【００３３】
分電盤１４は、パワコン１２に接続されるとともに、電力量計１３を介して電力会社からの電力供給線（商用電力供給源）に接続されている。また、分電盤１４は、太陽光発電システム１００に備えられる給湯装置２０および各電気機器に接続されている。これにより、太陽電池モジュール１１によって発電した電力量（パワコン１２から供給される電力量）が太陽光発電システム１００に備えられる給湯装置２０および各電気機器の消費電力の合計を上回って余剰電力が生じる場合にはその余剰電力が電力会社に出力（売電）されるようになっている。また、太陽電池モジュール１１によって発電した電力量（パワコン１２から供給される電力量）が太陽光発電システム１００に備えられる給湯装置２０および各電気機器の消費電力の合計を下回る場合には不足分の電力を電力会社から取得（買電）して給湯装置２０および各電気機器に供給するようになっている。なお、電力会社への売電量および電力会社からの買電量は電力量計１３によって測定され、電気料金の算出や履歴情報の生成等に用いられる。分電盤１４の詳細については後述する。
【００３４】
給湯装置２０は、図２に示したように、加熱部２１と貯湯タンク部２２とを備えており、加熱部２１で温水を生成し、生成した温水を貯湯タンク部２２に貯湯する。貯湯タンク部２２に貯湯しておいた温水は、ユーザからの指示等に応じて所定の給湯先（例えば浴槽や浴室、台所、洗面所の蛇口等）に適宜給湯される。給湯装置２０の詳細については後述する。
【００３５】
リモコン３０は、パワコン１２および給湯装置２０について共通に備えられるものであり、パワコン１２から太陽電池モジュール１１の発電量を示す情報を受信して当該情報に応じた画像を表示する機能、およびパワコン１２に対するユーザからの指示を受け付けて当該指示に応じた情報をパワコン１２に伝達する機能の少なくとも一方と、給湯装置２０から当該給湯装置２０の状態を示す情報を受信して当該情報に応じた画像を表示する機能、および給湯装置２０に対するユーザからの指示を受け付けて当該指示に応じた情報を給湯装置２０に伝達する機能の少なくとも一方とを有している。
【００３６】
また、図２に示したように、リモコン３０は、通信ネットワーク４０を介してモニタリングサーバ５０と通信可能に接続されており、太陽電池モジュール１１の発電状況に関する情報や太陽光発電システム１００のエラー情報などをモニタリングサーバ５０に送信したり、モニタリングサーバ５０から各種情報（例えば後述する第１時刻情報等）を受信したりするようになっている。リモコン３０の詳細については後述する。
【００３７】
通信ネットワーク４０の構成は特に限定されるものではなく、例えば、インターネット、ＣＡＴＶ通信網、電話回線網、移動体通信網、衛星通信網等が利用可能である。また、通信ネットワークを構成する伝送媒体についても特に限定されず、有線伝送媒体であっても無線伝送媒体であってもよい。
【００３８】
モニタリングサーバ５０は、太陽光発電システム１００から送信される各種情報に基づいて太陽光発電システム１００の発電状況や各装置の状況等を監視するものである。また、モニタリングサーバ５０は、原子時計等の正確な時計を有しているか、あるいは原子時計等の正確な時計を有する装置から正確な時刻情報を取得できるようになっており、太陽光発電システム１００に対して正確な時刻情報を送信する機能を有している。また、モニタリングサーバ５０から太陽光発電システム１００に送信される時刻情報には、時刻を示す情報に加えて、正確な年月日および曜日を示す情報が含まれている。
【００３９】
（１−２．パワコン１２および分電盤１４の構成）
図３は、パワコン１２の概略構成を示す模式図である。この図に示すように、パワコン１２は、制御部６０、受電部６１、ＤＣ／ＡＣ変換部６２、通信部６３、履歴情報記憶部６４、および送電部６５を備えている。
【００４０】
制御部６０は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを読み出して実行することでパワコン１２に備えられる各部の動作を制御する。
【００４１】
具体的には、制御部６０は、受電制御部６０ａ、送電制御部６０ｂ、通信制御部６０ｃ、および履歴制御部６０ｄを備えている。
【００４２】
受電制御部６０ａは、受電部６１を制御して太陽電池モジュール１１から供給される直流の電力を受電させてＤＣ／ＡＣ変換部６２に出力させ、ＤＣ／ＡＣ変換部６２を制御して受電部６１から入力される直流の電力を商用電力と同周波数かつ同電圧の交流の電力に変換させる。
【００４３】
送電制御部６０ｂは、送電部６５を制御し、ＤＣ／ＡＣ変換部６２によって変換された電力を分電盤１４に出力させる。
【００４４】
通信制御部６０ｃは、通信部６３を制御してリモコン３０との通信を行わせる。これにより、パワコン１２は、例えばリモコン３０からユーザの指示入力に応じた情報を受信したり、太陽電池モジュール１１の現在の発電状況や発電履歴情報等の情報をリモコン３０に送信したりする。なお、パワコン１２とリモコン３０との間の通信方法は特に限定されるものではなく、例えば従来から公知の種々の通信方法を用いることができる。
【００４５】
履歴制御部６０ｄは、太陽電池モジュール１１の発電量、電力会社からの買電量および売電量、およびそれらの履歴を示す情報などを生成し、履歴情報記憶部６６に記憶させる。なお、履歴制御部６０ｄは、これらの情報を生成するために必要な電力会社からの買電量および電力会社への売電量に関する情報を分電盤１４あるいは電力量計１３から取得する。履歴情報記憶部６４に記憶されたこれらの情報は、通信制御部６０ｃが通信部６３の動作を制御することによりリモコン３０の送信される。なお、履歴情報記憶部６４をリモコン３０に設け、上記の各情報をリモコン３０に記憶させるようにしてもよい。
【００４６】
分電盤１４は、第１受電部９１、第２受電部９２、配電切替部９３、および制御部９４を備えている。また、制御部９４は、受電制御部９４ａおよび配電制御部９４ｂを備えている。
【００４７】
第１受電部９１は、パワコン１２に接続されており、パワコン１２から供給される電力を受電する。
【００４８】
第２受電部９２は、電力量計１３を介して電力会社からの電力供給線（商用電力供給源）に接続されており、電力供給線を介して供給される商用電力を受電する。
【００４９】
配電切替部９３は、第１受電部９１が受電した電力、第２受電部９２が受電した電力、またはその両方を太陽光発電システム１００に備えられる給湯装置２０および各電気機器に出力する。また、配電切替部９３は、太陽光発電システム１００に備えられる給湯装置２０および各電気機器の消費電力量の合計がパワコン１２から供給される電力量を上回る場合に、余剰電力を電力会社に出力（売電）する。
【００５０】
受電制御部９４ａは、太陽光発電システム１００に備えられる給湯装置２０および各電気機器の消費電力量の合計がパワコン１２から供給される電力量を下回る場合には、第２受電部９２を制御して不足分の電力を電力会社から取得（買電）させる。
【００５１】
配電制御部９４ｂは、太陽光発電システム１００に備えられる給湯装置２０および各電気機器の消費電力量の合計がパワコン１２から供給される電力量を上回る場合には、配電切替部９３を制御して余剰電力を電力会社に出力（売電）させる。
【００５２】
（１−３．給湯装置２０の構成）
図４は、給湯装置２０の概略構成を示す模式図である。この図に示すように、給湯装置２０は、制御部７０、電源部７１、通信部７２、加熱部２１、貯湯タンク部２２、循環ポンプ７３、電気時計部７４、および年月日記憶部７５を備えている。
【００５３】
制御部７０は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを読み出して実行することで給湯装置２０に備えられる各部の動作を制御する。
【００５４】
具体的には、制御部７０は、電源制御部７０ａ、通信制御部７０ｂ、加熱制御部７０ｃ、給湯制御部７０ｄ、時刻制御部７０ｅ、および年月日制御部７０ｆを備えている。
【００５５】
電源制御部７０ａは、電源部７１の動作を制御して分電盤１４から供給される交流の電力を受電させ、給湯装置２０の各部に供給させる。
【００５６】
通信制御部７０ｂは、通信部７２を制御してリモコン３０との通信を行わせる。これにより、給湯装置２０は、例えばリモコン３０からユーザの指示入力に応じた情報を受信したり、貯湯タンク部２２の貯湯量や湯温などの各種情報をリモコン３０に送信したりする。また、詳細は後述するが、本実施形態では、給湯装置２０は、電気時計部７４が測定した時刻を示す情報（第２時刻情報）をリモコン３０に送信したり、リモコン３０から年月日および曜日の情報を含む時刻情報を受信したりするようになっている。なお、給湯装置２０とリモコン３０との間の通信方法は特に限定されるものではなく、例えば従来から公知の種々の通信方法を用いることができる。
【００５７】
時刻制御部７０ｅは、電気時計部７４の動作を制御して時刻を測定させる。また、時刻制御部７０ｅは、通信部７２を介してリモコン３０から取得した時刻情報に基づいて電気時計部７４の時刻を補正する機能を有している。
【００５８】
電気時計部７４は、電源部７１に入力される交流電力の周波数に基づいて時刻を測定する。なお、本実施形態では、上述したように、分電盤１４から給湯装置２０に対して、商用電力または太陽電池モジュール１１で発電した直流の電力を商用電力と同周波数の交流に変換した電力が供給される。これにより、電気時計部７４は、商用電力の周波数に基づいて時刻を測定できるようになっている。なお、太陽電池モジュール１１が太陽電池モジュール１１で発電された電力を交流に変換して出力している状態であるか電力会社から買電した商用電力を出力している状態であるかにかかわらず、常に電力会社から供給される商用電力を給湯装置２０に入力させる構成とし、電気時計部７４がその商用電力の周波数に基づいて時刻を測定するようにしてもよい。
【００５９】
年月日記憶部７５は、年月日および曜日に関する情報であるカレンダー情報、および現在の年月日および曜日の情報を記憶する。
【００６０】
年月日制御部７０ｆは、通信部７２を介してリモコン３０から受信した年月日情報（年月日および曜日を示す情報）を年月日記憶部７５に記憶させる。また、年月日制御部７０ｆは、電気時計部７４が測定した時刻と年月日記憶部７５に記憶しているカレンダー情報とに基づいて、年月日記憶部７５に記憶させている年月日情報を１日毎に（日が変わる毎に）更新する。
【００６１】
加熱制御部７０ｃは、加熱部２１および循環ポンプ７３の動作を制御して温水を生成させ、生成した温水を貯湯タンク部２２に貯湯させる。なお、加熱制御部７０ｃは、太陽光発電装置１０の発電量、電気時計部７４の測定した時刻、時間帯に応じた商用電力の電気料金、所定時刻に貯湯タンク部２２に貯湯しておくべき湯量および湯温などの条件に基づいて、電力料金が最も安くなる時間帯に温水を生成するための制御を行う。
【００６２】
加熱部２１は、電力を用いて水を加熱することで温水を生成する。なお、加熱部２１は、電力を用いて温水を生成するものであれば特に限定されるものではないが、例えば自然冷媒（ＣＯ２）を利用したヒートポンプなどを用いることができる。
【００６３】
給湯制御部７０ｄは、バルブ等（図示せず）からなる給湯手段の動作を制御し、貯湯タンク部２２に貯湯されている温水をユーザの指示に応じた給湯先に給湯させる。
【００６４】
給湯制御部７０ｄは、電気料金の安い深夜時間帯（２３：００〜翌７：００）に、要求される熱量に応じた温水を生成するために加熱部２１および循環ポンプ７３の作動を制御する機能を有している。具体的には、給湯制御部７０ｄは、温水の生成を上記の深夜時間帯（７：００まで）に完了するために必要な沸き上げ時間に基づいて沸き上げ運転の開始時刻を算出し、当該時刻になった時に加熱部２１および循環ポンプ７３を作動させる機能を備えている。
【００６５】
また、給湯制御部７０ｄは、ユーザが予約した条件になったときに自動的に給湯処理を行う予約給湯機能を有していてもよい。具体的には、給湯制御部７０ｄは、上記の予約給湯機能として、ユーザが予約した時刻になったときに自動的に給湯を行う機能、ユーザが予約した日時（ユーザが予約した日（年月日）の予約した時刻）になったときに自動的に給湯を行う機能、ユーザが予約した曜日の予約した時刻になったときに自動的に給湯を行う機能などを備えていてもよい。また、給湯制御部７０ｄは、ユーザが設定した日時になった時に給湯を停止する機能を有していてもよい。
【００６６】
給湯制御部７０ｄは、時刻については電気時計部７４の測定した時刻を参照し、年月日および曜日については年月日記憶部７５に記憶されている年月日情報を参照して上記各条件になったか否かを判断する。ただし、これに限らず、給湯制御部７０ｄが、通信部７２を介してリモコン３０から取得した時刻情報や年月日情報を参照するようにしてもよい。
【００６７】
（１−４．リモコン３０の構成）
図１は、リモコン３０の概略構成を示す模式図である。この図に示すように、リモコン３０は、制御部８０、第１通信部８１、第２通信部（第２時刻情報取得部）８２、第３通信部（第１時刻情報取得部）８３、表示部８４、指示入力部８５、内部時計部８６、および年月日記憶部８７を備えている。
【００６８】
制御部８０は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを読み出して実行することでリモコン３０に備えられる各部の動作を制御する。具体的には、制御部８０は、第１通信制御部８０ａ、第２通信制御部（第２時刻情報取得部）８０ｂ、第３通信制御部（第１時刻情報取得部）８０ｃ、表示制御部８０ｄ、時刻制御部８０ｅ、および年月日制御部８０ｆを備えている。
【００６９】
第１通信制御部８０ａは、第１通信部８１の動作を制御し、パワコン１２との通信を行わせる。なお、上述したように、なお、パワコン１２とリモコン３０との間の通信方法は特に限定されるものではなく、例えば従来から公知の種々の通信方法を用いることができる。
【００７０】
第２通信制御部８０ｂは、第２通信部８２の動作を制御し、給湯装置２０との通信を行わせる。なお、上述したように、なお、給湯装置２０とリモコン３０との間の通信方法は特に限定されるものではなく、例えば従来から公知の種々の通信方法を用いることができる。
【００７１】
第３通信制御部８０ｃは、第３通信部８３の動作を制御し、通信ネットワーク４０を介してモニタリングサーバ５０との通信を行わせる。なお、上述したように、通信ネットワーク４０の構成は特に限定されるものではなく、上述した種々の構成を用いることができる。また、第３通信制御部８０ｃとしては、通信ネットワーク４０に応じた構成を用いることができる。
【００７２】
表示制御部８０ｄは、表示部８４の動作を制御し、指示入力部８５に対するユーザの操作入力、第１通信部８１を介してパワコン１２から取得した情報、第２通信部８２を介して給湯装置２０から取得した情報、および第３通信部８３を介してモニタリングサーバ５０から取得した情報などに応じた画像を表示部８４表示させる。例えば、表示制御部８０ｄは、ユーザがパワコン１２あるいは給湯装置２０に対する指示入力を行うための操作画面の画像、パワコン１２から取得した太陽電池モジュール１１の発電量や発電履歴に関する情報に応じた画像、給湯装置２０から取得した貯湯タンク部２２の湯温や貯湯量に関する情報に応じた画像などを表示部８４に表示させる。
【００７３】
表示部８４は、表示制御部８０ｄの指示に応じた画像を表示できる構成であれば特に限定されるものではないが、本実施形態では表示部８４として液晶表示パネルを用いている。図５および図６は、表示部８４に表示される表示画面の一例を示す説明図である。この図に示すように、本実施形態では、表示部８４の上部に「ソーラー」、「給湯装置」、「設定」、および「履歴」の４つのタブが表示され、ユーザが選択したタブに応じた表示画面が表示される。図５に示したように、「ソーラー」のタブが選択された場合、表示制御部８０ｄはパワコン１２から太陽電池モジュール１１の発電状態や発電履歴、当該太陽光発電システム１００内での消費電力量、および電力会社への売電量（あるいは電力会社への買電量）に関する情報を取得し、取得した情報に応じた画像を表示させる。また、図６に示したように、「給湯装置」のタブが選択された場合、表示制御部８０ｄは、給湯装置２０から貯湯タンクの湯量、湯温、給湯温度設定（浴槽以外への蛇口やシャワー等への給湯温度の設定）、浴槽への給湯温度設定（風呂湯はり温度設定）などに関する情報を取得し、取得した情報に応じた画像を表示させる。
【００７４】
指示入力部８５は、ユーザからの指示入力を受け付けるための複数の操作ボタンを備えており、ユーザから受け付けた指示入力を示す情報を制御部８０に伝達する。なお、表示部８４と指示入力部８５とを一体化させたタッチパネルを用いてもよく、タッチパネルと各種操作ボタンとを併用してもよい。
【００７５】
内部時計部８６は、時刻を測定するものである。なお、内部時計部８６の構成は時刻を測定できるものであれば特に限定されるものではなく、例えば、従来から公知の各種ＲＴＣ（リアルタイムクロック）などを用いることができる。
【００７６】
時刻制御部８０ｅは、内部時計部８６を制御して時刻の測定を行わせるとともに、第３通信部８３を介してモニタリングサーバ５０から取得した時刻情報（第１時刻情報）、または第２通信部８２を介して給湯装置２０から取得した時刻情報（第２時刻情報）に基づいて内部時計部８６の時刻を補正する。
【００７７】
また、本実施形態では、リモコン３０は、第３通信部８３を介してモニタリングサーバ５０から取得した時刻情報（第１時刻情報）、あるいは第３通信部８３を介してモニタリングサーバ５０から取得した時刻情報（第１時刻情報）に基づいて補正された内部時計部８６の時刻を、第２通信部８２を介して給湯装置２０に送信する機能を有している。これにより、給湯装置２０では、リモコン３０から送信される時刻の情報に基づいて電気時計部７４の時刻を補正できるようになっている。
【００７８】
年月日記憶部８７は、年月日および曜日に関する情報であるカレンダー情報、および現在の年月日および曜日の情報である年月日情報を記憶する。
【００７９】
年月日制御部８０ｆは、第３通信部８３を介してモニタリングサーバ５０から取得した時刻情報（第１時刻情報）に含まれる現在の年月日および曜日を年月日記憶部８７に記憶させる。また、年月日制御部８０ｆは、内部時計部８６が測定した時刻と年月日記憶部８７に記憶させているカレンダー情報とに基づいて、年月日記憶部８７に記憶させている現在の年月日および曜日を日が変わる毎に更新する。なお、年月日制御部８０ｆが、第３通信部８３を介してモニタリングサーバ５０から時刻情報（第１時刻情報）を取得したときに、当該時刻情報に含まれている現在の年月日および曜日の情報に基づいて、年月日記憶部８７に記憶されている現在の年月日および曜日の情報を更新あるいは補正するようにしてもよい。
【００８０】
また、本実施形態では、リモコン３０は、年月日記憶部８７に記憶させている年月日情報（現在の年月日および曜日を示す情報）を、第２通信部８２を介して給湯装置２０に送信する機能を有している。これにより、給湯装置２０では、年月日記憶部７５に記憶させる年月日情報を、リモコン３０の年月日記憶部８７に記憶されている年月日情報と同期させることができるようになっている。
【００８１】
（１−５．時刻の補正処理）
次に、内部時計部８６の時刻および年月日情報の補正処理について、図７に示すフローチャートを参照しながら説明する。
【００８２】
まず、時刻制御部８０ｅは、内部時計部８６の時刻を前回補正したとき（あるいは内部時計部８６の使用を開始したとき）から所定時間が経過したか否かを判断する（Ｓ１）。
【００８３】
なお、本実施形態では上記所定時間を６時間に設定している。ただし、上記所定時間は特に限定されるものではなく、例えば、内部時計部８６の時刻の測定精度や、リモコン３０とモニタリングサーバ５０との通信頻度等に応じて適宜設定してもよい。
【００８４】
また、本実施形態では、上記所定時間が経過したか否かの判断を、内部時計部８６が測定した時間に基づいて行っている。ただし、これに限らず、例えば、上記所定時間が経過したことを計測するためのタイマー（図示せず）を内部時計部８６とは別に設けてもよく、給湯装置２０に備えられている電気時計部７４の測定した時間に基づいて行ってもよい。
【００８５】
Ｓ１において上記所定時間が経過していないと判断した場合、時刻制御部８０ｅは、Ｓ１の処理を継続し、上記所定時間が経過することを監視する。
【００８６】
一方、Ｓ１において上記所定時間が経過したと判断した場合、時刻制御部８０ｅは、第３通信部８３を介してモニタリングサーバ５０から時刻情報（第１時刻情報）を取得可能であるか否かを判断する（Ｓ２）。
【００８７】
そして、Ｓ２において取得可能であると判断した場合、第３通信制御部８０ｃは第３通信部８３を介してモニタリングサーバ５０から第１時刻情報を取得させ（Ｓ３）、時刻制御部８０ｅはモニタリングサーバ５０から取得した第１時刻情報に基づいて内部時計部８６の時刻を補正する（Ｓ４）。
【００８８】
また、第２通信部８２は、モニタリングサーバ５０から取得した第１時刻情報を給湯装置２０に送信する（Ｓ５）。これにより、給湯装置２０の時刻制御部７０ｅは、第１時刻情報に基づいて電気時計部７４の時刻を補正する。なお、第２通信部８２がＳ４で第１時刻情報に基づいて補正された内部時計部８６の時刻情報を給湯装置２０に送信し、給湯装置２０の時刻制御部７０ｅがその時刻情報に基づいて電気時計部７４の時刻を補正するようにしてもよい。
【００８９】
また、時刻制御部８０ｅは、モニタリングサーバ５０から取得した第１時刻情報に含まれる年月日および曜日の情報に基づいて年月日記憶部８７に記憶している現在の年月日および曜日を示す情報を補正あるいは更新し（Ｓ６）、Ｓ１の処理に戻る。
【００９０】
また、Ｓ２において第１時刻情報を取得不可能であると判断した場合、第２通信制御部８０ｂは第２通信部８２を介して給湯装置２０から第２時刻情報（電気時計部７４で測定された時刻情報）を取得させ（Ｓ７）、時刻制御部８０ｅは給湯装置２０から取得した第２時刻情報に基づいて内部時計部８６の時刻を補正し（Ｓ８）、Ｓ１の処理に戻る。
【００９１】
なお、リモコン３０が第１時刻情報を取得不可能である場合としては、例えば、（ｉ）太陽光発電システム１００のユーザがモニタリングサーバ５０による太陽光発電システム１００のモニタリングサービスに加入しておらず、リモコン３０がモニタリングサーバ５０との通信を行わない設定になっている場合や、（ｉｉ）通信ネットワーク４０、第３通信部８３、あるいはモニタリングサーバ５０の通信障害や故障等が生じている場合などが挙げられる。
【００９２】
（１−６．まとめ）
以上のように、本実施形態にかかるリモコン３０は、通信ネットワーク４０を介してモニタリングサーバ５０から第１時刻情報を取得する機能と、給湯装置２０から電気時計部７４で測定された第２時刻情報を取得する機能とを備えており、時刻制御部８０ｅは、第１時刻情報を取得可能な場合には当該第１時刻情報を用いて内部時計部８６の時刻を補正し、第１時刻情報を取得不可能な場合には第２時刻情報を用いて内部時計部８６の時刻を補正する。
【００９３】
これにより、第１時刻情報を取得可能な場合には第１時刻情報に基づいて内部時計部８６の時刻を補正することができるので、内部時計部８６の時刻の精度を向上させることができる。また、第１時刻情報を取得できなくない場合であっても、第２時刻情報を用いて内部時計部８６の時刻を補正できるので、内部時計部８６の補正の信頼度を向上させるができる。
【００９４】
なお、本実施形態では、モニタリングサーバ５０からリモコン３０に送信される第１時刻情報の方が給湯装置２０からリモコン３０に送信される第２時刻情報よりも時刻の精度が高い場合について説明したが、本発明はこれに限るものではない。例えば、第２時刻情報の方が第１時刻情報よりも精度が高い場合には、図７のＳ２の処理において第２時刻情報を取得可能であるか否かを判断し、取得可能な場合にはＳ７の処理に進み、取得不可能な場合にＳ２の処理に進むようにしてもよい。
【００９５】
すなわち、第１時刻情報および第２時刻情報のいずれを優先するかを予め設定しておき、優先する方の時刻情報を取得可能な場合には当該時刻情報を用いて内部時計部８６の時刻を補正し、優先する方の時刻情報を取得不可能な場合には他方の時刻情報を用いて内部時計部８６の時刻を補正するようにしてもよい。
【００９６】
なお、リモコン３０が第２時刻情報を取得不可能な場合としては、例えば、停電等により太陽光発電システム１００（あるいは給湯装置２０）に対する商用電力の供給が遮断された場合や、電気時計部７４の故障が生じた場合、あるいはリモコン３０と給湯装置２０との通信不良が生じた場合などが挙げられる。
【００９７】
また、本実施形態では、電源周波数に基づいて時刻を測定する電気時計部７４を給湯装置２０に備え、リモコン３０が給湯装置２０から送信される第２時刻情報に基づいて内部時計部８６の時刻を補正する構成について説明したが、これに限るものではない。例えば、電気時計部７４をパワコン１２あるいは太陽光発電システム１００内の他の装置に備え、当該電気時計部７４を備えた装置からリモコン３０に第２時刻情報を送信するようにしてもよい。
【００９８】
また、本実施形態では、リモコン３０に年月日記憶部８７を設け、給湯装置２０に年月日記憶部７５を設け、これらの年月日記憶部に記憶させる年月日情報（現在の年月日および曜日を示す情報）を同期させる構成について説明したが、これに限るものではない。例えば、年月日情報を記憶する年月日記憶部をリモコン３０または給湯装置２０の一方の装置に設け、他方の装置で年月日情報が必要な場合には当該他方の装置が上記一方の装置から年月日情報を取得するようにしてもよい。
【００９９】
また、本実施形態では、太陽光発電システム１００のモニタリングを行うモニタリングサーバ５０から第１時刻情報を取得する構成について説明したが、これに限るものではない。例えば、通信ネットワーク４０上に接続されている、原子時計等の正確な時計を有しているモニタリングサーバ５０以外の装置（外部装置）、あるいは原子時計等の正確な時計を有する装置から正確な時刻情報を取得するモニタリングサーバ５０以外の装置（外部装置）から第１時刻情報を取得するようにしてもよい。
【０１００】
また、本実施形態において、パワコン１２、分電盤１４、給湯装置２０、およびリモコン３０に備えられる各制御部（制御部６０，９４，７０，８０）を、ＣＰＵ等のプロセッサを用いてソフトウェアによって実現してもよい。この場合、パワコン１２、分電盤１４、給湯装置２０、およびリモコン３０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるパワコン１２、分電盤１４、給湯装置２０、およびリモコン３０の制御プログラムのプログラムコード（実行形式プログラム、中間コードプログラム、ソースプログラム）をコンピュータで読み取り可能に記録した記録媒体を、パワコン１２、分電盤１４、給湯装置２０、およびリモコン３０に供給し、そのコンピュータ（またはＣＰＵやＭＰＵ）が記録媒体に記録されているプログラムコードを読み出し実行することによって達成される。上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０１】
また、パワコン１２、分電盤１４、給湯装置２０、およびリモコン３０を通信ネットワークと接続可能に構成し、通信ネットワークを介して上記プログラムコードを供給してもよい。この通信ネットワークの構成は特に限定されるものではなく、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体についても特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０２】
また、パワコン１２、分電盤１４、給湯装置２０、およびリモコン３０の各制御部は、ソフトウェアを用いて実現されるものに限らず、ハードウェアロジックによって構成されるものであってもよい。また、パワコン１２、分電盤１４、給湯装置２０、およびリモコン３０の各制御部は、処理の一部を行うハードウェアと当該ハードウェアの制御や残余の処理を行うソフトウェアを実行する演算手段とを組み合わせたものであってもよい。
【０１０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０４】
本発明は、１または複数の端末装置と、上記端末装置にサービスを提供するためのサーバアプリケーションを実行する１または複数のアプリケーションサーバと、上記サーバアプリケーションと連携して動作する連携アプリケーションを実行する１または複数の連携サーバとを備えたシステムに適用できる。
【符号の説明】
【０１０５】
１０  太陽光発電装置
１１  太陽電池モジュール
１２  パワコン（パワーコンディショナ）
１４  分電盤
２０  給湯装置
３０  リモコン（遠隔操作装置）
４０  通信ネットワーク
５０  モニタリングサーバ（外部装置）
７０  制御部
７０ｃ  加熱制御部
７０ｄ  給湯制御部
７０ｅ  時刻制御部
７０ｆ  年月日制御部
７２  通信部
７３  循環ポンプ（給湯手段）
７４  電気時計部
７５  年月日記憶部
８０  制御部
８０ａ  第１通信制御部
８０ｂ  第２通信制御部（第２時刻情報取得部）
８０ｃ  第３通信制御部（第１時刻情報取得部）
８０ｄ  表示制御部
８０ｅ  時刻制御部
８０ｆ  年月日制御部
８１  第１通信部
８２  第２通信部（第２時刻情報取得部）
８３  第３通信部（第１時刻情報取得部）
８４  表示部
８５  指示入力部
８６  内部時計部
８７  年月日記憶部
１００  太陽光発電システム
【図１】
0005851885.tif 000002
【図２】
0005851885.tif 000003
【図３】
0005851885.tif 000004
【図４】
0005851885.tif 000005
【図５】
0005851885.tif 000006
【図６】
0005851885.tif 000007
【図７】
0005851885.tif 000008